(57)【要約】【課題】    多層の記録層を備えた光ディスク記録媒体、及びこの光ディスク記録媒体のリードライト処理を行うドライブ装置を備えたＡＶ機器を提供する。【解決手段】  情報を記録する記録層を多層備え、それぞれの記録層は記録層の属性を有している光ディスク記録媒体、及びこの光ディスク記録媒体のリードライト処理を行うドライブを備えたＡＶ機器である。この光ディスク記録媒体のそれぞれの記録層を、ＡＶデータとＡＶデータ以外のデータとを区分けして記憶する。この記録層の属性としては、読取り専用型と書換え可能型の記憶層を設け、読取り専用型の記憶層には各種のプログラムを記憶し、書換え可能型の記憶層には、コンテンツのＡＶデータや読取り専用型の記憶層に記憶されているプログラムで作成したデータを記憶するようにした光ディスク記録媒体である。【選択図】  図２
2009193633.tif 000002
【特許請求の範囲】
【請求項１】
情報を記録する記録層を多層備え、前記多層のそれぞれの前記記録層は、記録層の属性を有していることを特徴とする光ディスク記録媒体。
【請求項２】
前記多層のそれぞれの前記記録層を、ＡＶデータを格納する記録層と前記ＡＶデータ以外の通常データを格納する記録層とに区分けしたことを特徴とする請求項１に記載の光ディスク記録媒体。
【請求項３】
前記通常データを格納する記録層は、認証情報に関する情報を記憶する記憶領域を備えていることを特徴とする請求項２に記載の光ディスク記録媒体。
【請求項４】
前記記録層の属性は、読取り専用型又は書換え可能型のいずれかの記録層とされていることを特徴とする請求項１に記載の光ディスク記録媒体。
【請求項５】
請求項１から請求項４のいずれかに記載の光ディスク記録媒体のリードライト処理を行う光ディスクドライブを備えていることを特徴とするＡＶ機器。
【発明の詳細な説明】
【技術分野】
【０００１】
本発明は、光ディスク記録媒体、この光ディスク記録媒体への情報の書き込み及び光ディスク記録媒体に記録された情報の読み取りを行うＡＶ機器に関するものである。
【背景技術】
【０００２】
近年、動画を含む各種のコンテンツを、大容量の記録媒体であるＤＶＤ−ＲＷディスク等の光ディスク記録媒体に記録し、必要なときにこの光ディスク記録媒体に記録したコンテンツを再生する記録再生装置等のＡＶ機器が実用化さている。この種のＡＶ機器としては、例えば、ＢＳデジタル放送やハイビジョン放送（以下、放送番組という）で放送される映画等の放送番組（コンテンツ）を光ディスク記録媒体に録画し、再生する記録再生装置である。
【０００３】
このような記録再生装置は、一般に、光ディスク記録媒体にコンテンツの書込みと読取り（リードライト）処理を行なうための光ディスクドライブの他に、大容量の記憶領域を有するハードディスクドライブ（以下、ＨＤＤという）を備えている。従来の記録再生装置が、光ディスクドライブとＨＤＤを備えている理由は、主として次の理由による
【０００４】
（１）例えば、記録再生装置が備えているチューナから受信した放送番組を光ディスクドライブの光ディスク記録媒体に録画（記録）しているときに、録画する記憶領域が少なくなると、ＨＤＤの磁気記録媒体（磁気ディスク）にこの続きを録画する。
（２）光ディスクドライブの光ディスク記録媒体に放送番組を録画しているときに、光ディスクドライブに不具合が発生した場合には、ＨＤＤドライブの磁気ディスクにこの放送番組の続きを録画する。
（３）大容量の記憶領域を有するＨＤＤドライブは、複数種のコンテンツを記録するために使用する。そして、光ディスクドライブは、ＨＤＤドライブに記憶している複数種のコンテンツのなかから、例えば、指定した一つのコンテンツを光ディスク記録媒体にダビングするために使用する。
【０００５】
一方、近年の光ディスク記録媒体に関する技術開発により、光ディスク記録媒体の片面に２層以上の多層の記録層を設けることにより大容量の情報を記憶することができる高密度の光ディスク記録媒体が実用化されてきている。この高密度光ディスク記録媒体としては、「ブルーレイ・ディスク」（Ｂｌｕ−Ｒａｙ  Ｄｉｓｃ）や、「ＨＤ  ＤＶＤ」（High Definition Digital Versatile）が知られている。この高密度光ディスク記録媒体に、例えば２層の記録層を設けると、その記憶容量は５０ＧＢになるので、従来のＨＤＤドライブを備えた記録再生装置に換えて高密度光ディスク記録媒体の読み書きが行なえる光ディスクドライブのみを備えた記録再生装置も提案されている。なお、この高密度光ディスク記録媒体は、青色レーザ光を用いて情報のリードライトを行なう記録媒体である。
【０００６】
上記した高密度光ディスク記録媒体は大容量の情報を記憶することができるので、各記録層には多数のＢＳデジタル放送やハイビジョン放送等のコンテンツを含む各種の情報を記憶することができる。しかし、この高密度光ディスク記録媒体にコンテンツ等のＡＶデータ（オーディオ・ビジュアル信号から構成されるデータ）を記録するための制御や、高密度光ディスク記録媒体に記録した情報の管理を適切に行わないと、高密度光ディスク記録媒体に対する情報のリードライト処理に不具合が生じ、また、このリードライト処理を行うためのプログラム処理の構成も複雑になる。多層の記録層を有する高密度光ディスク記録媒体のリードライト処理を効率化する技術として、下記の特許文献が提案されている。
【０００７】
【特許文献１】特開２００７−２６６１７号公報
【０００８】
特許文献１に記載の発明は、光ディスクの内周部にリードイン領域を設け、このリードイン領域に複数の記録層に記録する情報のフォーマットを示す情報を記録する。そして、この光ディスクの読み書き処理を行なうときに、リードイン領域に記憶されているフォーマットを示す情報に基づいて、各記録層に用いられているフォーマットを識別できるようにすることが記載されている。
【発明の開示】
【発明が解決しようとする課題】
【０００９】
上記特許文献１に記載されている高密度光ディスク記録媒体は、多層の記録層を備えている光ディスク記録媒体であるが、この記録層に、例えば、パーソナルコンピュータ等のＡＶ機器を作動させるためのＯＳ（Operating System）やアプリケーションプログラムを記録させておくことに関しては記載されていない。このように、多層の記録層を有する高密度光ディスク記録媒体に、コンテンツに係るＡＶデータのリードライトを可能にするとともに、この高密度光ディスク記録媒体に予めＯＳや各種のアプリケーションプログラムを記憶させておき、さらに、これらのアプリケーションプログラムで作成したデータもこの高密度光ディスク記録媒体に記憶することを可能にすると、ユーザにとって一段と高機能で利便性が向上した各種のＡＶ機器を提供することができるようになる。
【００１０】
そこで、本発明の目的は、情報を記録する記録層を多層備えた高密度光ディスク記録媒体について、コンテンツに係る情報としてＡＶデータや音楽データ等の他に、アプリケーションプログラムを含む各種のプログラム、及びこれらアプリケーションプログラムで作成したデータも記憶することを可能とした光ディスク記録媒体、この光ディスク記録媒体のリードライト処理を行うドライブを備えたＡＶ機器を提供することにある。
【課題を解決するための手段】
【００１１】
本発明の光ディスク記録媒体は、情報を記録する記録層を多層備え、前記多層のそれぞれの前記記録層は、記録層の属性を有していることを特徴としている。
【００１２】
さらに、本発明の光ディスク記録媒体は、前記多層のそれぞれの前記記録層を、ＡＶデータを格納（記憶）する記録層と前記ＡＶデータ以外の通常データを格納する記録層とに区分けしたことを特徴としている。
【００１３】
さらに、本発明の光ディスク記録媒体において、前記通常データを格納する記録層は、認証情報に関する情報を記憶する記憶領域を備えていることを特徴としている。
【００１４】
さらに、本発明の光ディスク記録媒体において、前記記録層の属性は、読取り専用型又は書換え可能型のいずれかの記録層とされていることを特徴としている。
【００１５】
また、本発明は、前記光ディスク記録媒体のリードライト処理を行う光ディスクドライブを備えているＡＶ機器であることを特徴としている。
【００１６】
なお、上記した光ディスク記録媒体とは、いわゆるブルーレイ・ディスク（Ｂｌｕ−Ｒａｙ  Ｄｉｓｃ）等の多層の記録層を有した大容量（２層の記録層を有している場合には５０ＧＢ程度）の記憶領域を備えた光ディスク記録媒体を示す。また、上記したＡＶ機器とは、本発明の光ディスク記録媒体のリードライト処理を行う光ディスクドライブを備えているパーソナルコンピュータ、テレビ受信機、オーディオ機器、各種のゲーム機器、光ディスク記録再生装置、等を示す。また、上記した多層とは２層以上の記憶層を備えていることを示し、さらに、読取り専用型の記録層と書換え可能型の記憶層を少なくとも１層以上備えている光ディスク記録媒体である。
【発明の効果】
【００１７】
請求項１に記載の本発明に係る光ディスク記録媒体によれば、情報を記録する多層の記録層のそれぞれは、記録層の属性を有しているので、記録層の属性に合わせて各記録層に各種の情報を記録することができる。例えば、上書きができない読取り専用型の属性を有する記録層には、各種のプログラムを記憶し、書換え可能型の属性を有する記録層には、コンテンツに関するＡＶデータ、音楽データ、アプリケーションプログラムで作成したデータ等を記憶するようにすることができる。
【００１８】
請求項２に記載の本発明に係る光ディスク記録媒体によれば、ＡＶデータとこのＡＶデータ以外の通常データとを分類して各記録層に格納（記録）することにより、各種のＡＶ機器が予め備えているファイルシステムを利用して、光ディスク記録媒体に記録されているＡＶデータと通常データのファイル管理の処理が容易になる。
【００１９】
請求項３に記載の本発明に係る光ディスク記録媒体によれば、通常データを格納する記録層は、例えば、この光ディスク記録媒体を所有する個人を認証するための認証情報を記憶する記憶領域を備えているので、この光ディスク記録媒体をＡＶ機器に対してリードライトの操作を行なうユーザが正当なユーザであるか否かを認証することが可能になる。これにより、光ディスク記録媒体に記憶している各種の情報のセキュリティを確保することができるようになる。
【００２０】
請求項４に記載の本発明に係る光ディスク記録媒体によれば、各記録層の属性は、読取り専用型又は書換え可能型のいずれかの記録層としているので、上書きができない読取り専用型の属性を有する記録層には、例えば、ＯＳ（Operating System）を含む各種のプログラムを予め記憶し、書換え可能型の属性を有する記録層には、多種のコンテンツに関するＡＶデータ、音楽データ、アプリケーションプログラムで作成したデータ等を多数回にわたって記憶することができるようになる。
【００２１】
請求項５に記載の本発明に係るＡＶ機器によれば、上記構成の光ディスク記録媒体のリードライト処理を行うドライブを備えているので、光ディスク記録媒体により動作する可搬可能（movable）な各種の新規なＡＶ機器を容易に提供することが可能になる。例えば、光ディスク記録媒体に予めＯＳを含む各種のプログラムを記憶しておくことにより、ハードディスク装置を備える必要がない軽量のパーソナルコンピュータを提供することが可能になる。
【発明を実施するための最良の形態】
【００２２】
以下、本発明を実施するための形態を図面に基づいて説明する。図１及び図２は、本発明の多層の記憶層を有する光ディスク記録媒体１について、その構成例を説明するための図である。なお、以下の説明においては、本発明の光ディスク記録媒体は３層の記録層を有している光ディスク記録媒体を例にして説明する。
【００２３】
図１、図２に示すように、本発明の光ディスク記録媒体１を３層の記録層（記憶層）を備えた構成とした場合、記憶層ごとに記憶層の属性を持たせるようにしている。この記憶層の属性とは、読取り専用（読取り専用型）か、あるいは書換え可能（書換え可能型）であるかという記録層の特性を示す。なお、読取り専用型の記録層は1回のみ情報の書込みが可能であり、書換え可能型の記録層は多数回にわたって情報の書込みが可能な記録層である。なお、書き換え可能型の記録層は、例えば、相変化記録方式を採用することにより、この記録層には多数回の情報の書込みと消去が可能になる。
【００２４】
また、多層の記録層を有する光ディスク記録媒体１には、少なくとも１層の読取り専用型記録層と書換え可能型の記録層を設けるようにする。また、より好ましくは、光ディスク記録媒体１は少なくとも３層の記録層を備えるようにし、そのうち少なくとも２層の記録層は書換え可能型記録層とすることが望ましい。この理由は、書換え可能型記録層を少なくとも２層設けると、その1層の記録層は、大容量のＡＶデータを記録するＡＶデータ専用の記録層として使用することができるからである。
【００２５】
図２に示す例では、１層目の記録層（Ｌ０）はその記録層の属性を「書換え可能型」、２層目の記録層（Ｌ１）はその属性を同じく「書き換え可能型」、３層目の記録層（Ｌ２）はその属性を「読取り専用型」としている。
【００２６】
また、光ディスク記録媒体１は、図２に示すように、３層からなる記録層Ｌ０、Ｌ１、Ｌ２に記録する情報は、その情報の属性に応じてこれら記録層のいずれかに記憶するようにしている。この情報の属性とは、例えば、コンテンツのＡＶデータ、このコンテンツのＡＶデータ以外のデータ（以下、通常データという）等に区分（分類）した属性を示す。
図２に示す例では、１層目の記録層（Ｌ０）は記録層の属性を「書き換え可能型」にし、記録する情報の属性はＡＶデータとして、この１層目の記録層（Ｌ０）にはコンテンツに係るＡＶデータを記録する記録層としている。従って、１層目の記録層（Ｌ０）には、例えば、ハイビジョン放送等の録画データ、その他の動画像や静止画像のデータ、音楽のデータ、等のＡＶデータを記録する記録層になる。
【００２７】
書換え可能型である２層目の記録層（Ｌ１）は、この光ディスク記録媒体１を所有しているユーザを認証するための認証情報（個人認証情報）を記憶する認証情報記録領域と、光ディスク記録媒体１に記憶した各種の情報に係る管理情報を記憶する管理情報記録領域と、上記した通常データを記憶する記録領域を設けた記録層としている。
【００２８】
なお、上記した認証情報とは、光ディスク記録媒体１を所有しているユーザを認証するためのパスワード等を示す。また、管理情報とは、光ディスク記録媒体１に記憶している各種の情報に係るファイル情報、コンテンツのタイトル名、記録年月日（例えば、録画年月日）、ＧＯＰの位置情報、等などである。また、通常データとは、上記した個人認証情報と、後述する３層目の記録層（Ｌ２）に記録されているアプリケーションプログラムにより作成されたデータを示す。アプリケーションプログラムにより作成されたデータとは、例えば、ワープロ用プログラムで作成したテキスト文書、図面作成用プログラムで作成した図面に係るデータ等である。
【００２９】
読取り専用型である３層目の記録層（Ｌ２）は、予め、各種のプログラム（ソフトウェア）を記録しておく記録層としている。このプログラムとしては、例えば、図２に示すように、例えば、ＡＶ機器であるパーソナルコンピュータを作動させるための基本ソフトウエアとなるＯＳ（Ｐ１）、ファイル管理用プログラム（ファイルシステム）（Ｐ２）、この光ディスク記録媒体１を使用するユーザを認証する処理を行うユーザ認証プログラム（Ｐ３）、光ディスクドライブ（光ディスクドライブ装置）に挿入されたこの光ディスク記録媒体１に対してリードライト処理の制御を行うための光ディスクドライブ制御プログラム（Ｐ４）、上記したワープロ用プログラムや図面作成用プログラム、Ｗｅｂブラウザ等の各種のアプリケーションプログラム（Ｐ５）が含まれる。
【００３０】
ファイルシステム（Ｐ２）は、光ディスクドライブ制御プログラム（Ｐ４）がＡＶデータ及び通常データに関する各種のデータを光ディスクドライブに挿入された光ディスク記録媒体１にリードライトする制御を行うときに、これらの情報のファイル管理を行うための各種ファイル管理プログラムから構成される。このファイルシステム（Ｐ２）は、例えば、ＡＶデータ等の情報を光ディスク記録媒体１に書込む処理を行うときに、そのファイルフォーマットを規定する処理、ファイル名を設定する処理、ファイルの記録年月日を設定する処理、等を行うプログラムから構成される。このファイルシステム（Ｐ２）としては、ＵＤＦ（Universal Disc Format）を採用したファイルシステムを使用することができる。
【００３１】
なお、上記した本発明に係る光ディスク記録媒体１に、例えば、予め図２に示す３層目の記録層（Ｌ２）に上記したＯＳ（Ｐ１）〜各種のアプリケーションプログラム（Ｐ５）を記憶すると、この光ディスク記録媒体１を販売することが可能になる。そして、この光ディスク記録媒体１を購入したユーザは、後記する本発明に係る光ディスクドライブ、あるいはＡＶ機器でこの光ディスク記録媒体１のリードライト等の操作を行なうことにより、例えば、放送番組の録画と再生や、予めユーザが光ディスク記録媒体１の２層目の記録層（Ｌ１）に記憶した情報についてプレゼンテーションを行うことも可能になる。なお、上記したＯＳ（Ｐ１）としては、従来から使用されているＷｉｎｄｏｗｓ（登録商標）（Ｍｉｃｒｏｓｏｆｔ社のオペレーティングシステム）などを使用することができる。
【００３２】
続いて、本発明に係る光ディスク記録媒体１のリードライト処理を行う光ディスクドライブとこの光ディスクドライブを備えたＡＶ機器について説明する。このＡＶ機器は、例えば、パーソナルコンピュータ、テレビ受信機、オーディオ機器、各種のゲーム機器、光ディスク記録再生装置等、少なくとも各種のＡＶデータや通常データの記録とその再生処理の一方、又は双方の処理機能を備えている機器を示す。
【００３３】
以下、本発明のＡＶ機器の一例として、パーソナルコンピュータを例にして説明する。図３はこのパーソナルコンピュータの構成を示す制御ブロック図である。
図３に示すパーソナルコンピュータ２は、主にパーソナルコンピュータの本体（以下、上位ＣＰＵシステムという）３と、光ディスクドライブ４から構成される。上位ＣＰＵシステム３は、ＣＰＵ５、ＲＯＭ６、ＲＡＭ７を備え、さらに、これらＣＰＵ５、ＲＯＭ６、ＲＡＭ７を結ぶＢＵＳ（バス）８には各種のインターフェース用回路（以下、Ｉ／Ｆ回路という）が接続されている。これらのＩ／Ｆ回路は、ＣＰＵ５の制御に基づいて上位ＣＰＵシステム３に接続される各種の入出力機器とデータの送受信処理を行うためのインターフェースとなるものである。
【００３４】
これらのＩ／Ｆ回路としては、入力機器となるキーボード９からの入力信号を取り込む処理を行うキーボードＩ／Ｆ１０、マウスからの信号を取り込む処理を行うマウスＩ／Ｆ１１、プリンタに情報を出力する処理を行うためのプリンタＩ／Ｆ１２、インターネット等の外部との通信を行うための通信Ｉ／Ｆ１３、液晶等の表示装置１４に各種の情報を表示するための表示用Ｉ／Ｆ１５、ＵＳＢメモリあるいはＵＳＢ端子を有する外部機器とのデータの送受信を行うためのＵＳＢＩ／Ｆ１６、光ディスクドライブ４と通信を行うための通信Ｉ／Ｆ１７、等を備えている。
【００３５】
図３に示す光ディスクドライブ４は、パーソナルコンピュータ２の本体となる上位ＣＰＵシステム３の筐体と一体にした構成にするか、あるいは上位ＣＰＵシステム３と通信ケーブルにより接続可能な構成としてもよい。
【００３６】
光ディスクドライブ４は、ＣＰＵ１８、ＲＯＭ１９、ＲＡＭ２０、通信Ｉ／Ｆ２１、光ピックアップ制御部２２、不揮発性メモリ２３、等を備え、これら部材はバス線２４に接続されている。なお、ＲＯＭ１９には、例えば、図４に示すように、光ディスクドライブ４の動作を制御するための制御プログラムが予め記憶されている。
【００３７】
図４に示す光ディスクドライブ４の動作を制御するプログラムにおいて、メイン制御プログラム（Ｐ１１）は光ディスクドライブ４の動作を統括して制御するためのプログラム、管理情報処理プログラム（Ｐ１２）は、光ディスク記録媒体１ａの２層目の記憶層（Ｌ１）に記憶する各種の管理情報について、予め設定した記憶フォーマットを作成する処理等を行うプロブラムである。
また、ソフトウエア送信処理プログラム（Ｐ１３）は、光ディスク記録媒体１ａの３層目の記憶層（Ｌ２）に記憶されているプログラムを読み取って上位ＣＰＵシステム３に送信する処理を行なうプログラム、通常データ送信プログラム（Ｐ１４）は光ディスク１の２層目の記憶層（Ｌ１）に記憶されている通常データを読み取って上位ＣＰＵシステム３に送信する処理を行なうプログラムである。
【００３８】
さらに、ＡＶデータ書込みプログラム（Ｐ１５）は上位ＣＰＵシステム３から送信されるＡＶデータを光ディスク記録媒体１ａの１層目の記憶層（Ｌ０）に書き込む処理を行うプログラム、管理情報一時記憶プログラム（Ｐ１６）は上記したＡＶデータ書込みプログラム（Ｐ１５）が作動しているときに、このＡＶデータに係る管理情報を不揮発性メモリ２３に一時的に記憶する処理を行うプログラムである。さらに、管理情報書込みプログラム（Ｐ１７）は、上記した管理情報一時記憶プログラム（Ｐ１６）が不揮発性メモリ２３に一時的に記憶した管理情報を光ディスク記録媒体１ａの２層目の記録層（Ｌ１）の管理情報記録領域に記録する処理を行うプログラム、ＡＶデータ送信プログラム（Ｐ１８）は光ディスク記録媒体１ａの１層目の記憶層（Ｌ０）に記憶されているＡＶデータを読取って上位ＣＰＵシステム３に送信する処理を行うプログラムである。また、通常データ書込み処理プログラムＰ１９は、上位ＣＰＵシステム３から送信される通常データを光ディスク記録媒体１ａに書込む処理を行うプログラムである。
【００３９】
なお、後記するように、上位ＣＰＵシステム３は光ディスクドライブ４の動作を制御するために、予め設定した制御コマンドを光ディスクドライブ４に送信する。そして、光ディスクドライブ４のメイン制御プログラム（Ｐ１１）は、上位ＣＰＵ部３から送信された制御コマンドを解析し、この解析した制御コマンドに対応する処理となる上記プログラム（Ｐ１２）〜（Ｐ１９）等のいずれかのプログラムを作動させる制御を行う。
【００４０】
光ディスクドライブ４が備えている通信Ｉ／Ｆ２１は、上位ＣＰＵシステム３の通信Ｉ／Ｆ１７とデータ通信を行うためのＩ／Ｆである。光ピックアップ制御部２２は、光ディスク記録媒体１ａにレーザ光を照射して情報のリードライト処理を行う光ピックアップユニットと、この光ピックアップユニットの移動を制御するステッピングモータ、さらにこのステッピングモータの駆動を制御するＩ／Ｆ回路、等から構成されている。不揮発性メモリ２３は、上位ＣＰＵシステム３から送信されるＡＶデータをＡＶデータ書込みプログラムがリアルタイムに光ディスク記録媒体１ａに記憶する処理を行っているときに、このＡＶデータに係る管理情報を一時的に記憶するために設けたメモリである。なお、光ディスクドライブ４でリードライトする光ディスク記録媒体１ａは、前記した図２に示すような構成を備えた高密度の光ディスク記録媒体である。
【００４１】
上記した上位ＣＰＵシステム３と光ディスクドライブ４を備えたパーソナルコンピュータ２を作動させるために、上位ＣＰＵシステム３のＲＯＭ６には次の処理を行うプログラムを記憶しておくようにする。すなわち、パーソナルコンピュータ２の電源を投入（ＯＮ）、あるいはリセットボタンを押圧したときに、ＲＯＭ６には、最初に作動するローダプログラムであるＩＰＬ（Initial Program loader）を記憶すると共に、さらに、このローダプログラムには、光ディスクドライブ４に挿入された光ディスク記録媒体１ａをアクセスして、光ディスク記録媒体１ａの３層目の記録層（Ｌ２）に記憶されているＯＳ（Ｐ１）、ファイルシステム（Ｐ２）、ユーザ認証プログラム（Ｐ３）、光ディスクドライブ制御プログラム（Ｐ４）に関するデータの転送指示と、転送されたこれらのプログラムをＲＡＭ７の所定の記憶領域にロード（記憶）するプログラムと、ＲＡＭ７にロードしたプログラムのうちＯＳ（Ｐ１）を起動させる処理を行うプログラムを記憶しておく。
【００４２】
ＲＯＭ６に上記した機能を備えたＩＰＬに係るプログラムを記憶しておくと、光ディスクドライブ４に光ディスク記録媒体１ａを挿入してパーソナルコンピュータ２の電源をＯＮすると、光ディスク記録媒体１ａに記憶されているＯＳ（Ｐ１）がＲＡＭ７に読込まれて、パーソナルコンピュータ２を起動させるためのＯＳ（Ｐ１）を立ち上げることができる。これにより、ＯＳ（Ｐ１）の制御に基づいてファイルシステム（Ｐ２）も起動可能になるので、従来のパーソナルコンピュータと同様に、光ディスク記録媒体１ａの３層目の記録層に予め記憶されている各種のアプリケーションプログラムを作動させ、アプリケーションプログラムで作成したデータ（通常データ）を光ディスク記録媒体１ａの２層目の記録層（Ｌ１）に記憶することが可能になる。
【００４３】
なお、上記した光ディスク記録媒体１ａを用いてＡＶ機器であるパーソナルコンピュータ２を操作する場合、光ディスク記録媒体１ａは可搬可能な記録媒体であること、並びに、光ディスク記録媒体１ａにはＯＳ（Ｐ１）と各種のアプリケーションプログラムとこのアプリケーションプログラムを作動させてユーザが作成したデータ等が記憶されているので、光ディスク記録媒体１ａを使用するユーザが正当なユーザであるか否かの認証処理が重要になる。この認証処理を行って情報のセキュリティを確保する手段として、例えば、光ディスク記録媒体１ａを光ディスクドライブ４に挿入してパーソナルコンピュータ２を起動させるとき、ユーザを認証する処理を行うユーザ認証プログラム（Ｐ３）を作動させるようにしている。
【００４４】
この光ディスク記録媒体１ａを使用するユーザを認証する処理は、例えば、次の手段（１）、（２）を採用することができる。
（１）ユーザが光ディスク記録媒体１ａを購入したときに、この購入した光ディスク記録媒体１ａの２層目の記録層（Ｌ１）に、このユーザの認証情報を記憶する操作を行う。この操作は、例えば、購入した光ディスク記録媒体１ａを光ディスクドライブ４に挿入してパーソナルコンピュータ２を立ち上げ、続いてユーザ認証プログラム（Ｐ３）の制御に従って表示装置１４と対話方式でユーザの認証情報（パスワード等）を入力して、この入力されたユーザの認証情報を光ディスク記録媒体１ａの２層目の記録層（Ｌ１）の認証情報記録領域に記録する。
【００４５】
（２）そして、ユーザが光ディスク記録媒体１ａを光ディスクドライブ４に挿入して光ディスク記録媒体１ａに対してリードライト処理を行うときに、ユーザ認証プログラム（Ｐ３）によりユーザの認証処理を行う。この認証処理は、表示装置１４にユーザを認証するための認証情報、例えば、パスワード等を入力する画面を表示する。そして、ユーザ認証プログラム（Ｐ３）の制御に従って、ユーザがキーボード１０から入力したパスワードが、予め、光ディスク記録媒体１ａの２層目の記録層（Ｌ１）の認証情報記録領域に記録されている認証情報と一致するか否かを判定する処理を行うようにする。
【００４６】
続いて、本発明のＡＶ機器について、他の実施形態を図５に基づいて説明する。図５に示すＡＶ機器は、図３に示すＡＶ機器の第１の実施形態であるパーソナルコンピュータ２に、ハイビジョン放送等の放送番組の受信機能と、受信した放送番組を光ディスク記録媒体１ａに録画する機能と、さらに、光ディスク記録媒体１ａに録画した放送番組に関するＡＶデータを再生して視聴する機能を付加したＡＶ機器、いわゆるテレビ番組等のコンテンツの録画と再生機能を備えたパーソナルコンピュータから構成される記録再生装置（以下、記録再生装置という）２００を示している。
【００４７】
図５に示す記録再生装置２００の基本的な構成は、図３に示すパーソナルコンピュータ２と同様であって、上位ＣＰＵシステム３ａと光ディスクドライブ４ａから構成される。上位ＣＰＵシステム３ａのハードウエアの構成が図３に示す上位ＣＰＵシステム３と相違する点は、上記したテレビ番組等のコンテンツの録画機能と再生機能を持たせるために、チューナ２１０と、ＢＵＳ８に接続されたコンテンツ受信処理部２２０、画像記憶メモリ２６、光ディスク用Ｉ／Ｆ２４、コンテンツ再生処理部２５を設けていることにある。光ディスクドライブ４ａのハードウエアの構成は、図３に示す光ディスクドライブ４の構成と同じ構成にすることができる。
【００４８】
なお、図５には示していないが、上位ＣＰＵシステム３ａのＢＵＳ８にリモコン用入出力回路を接続し、ユーザのリモコン操作により放送番組の録画予約等の操作が行なえるようにしてもよい。そして、この録画予約の機能を設けた場合には、さらに、現在の時刻をカウントするタイマーをＢＵＳ８に接続し、現在の時刻が録画予約した放送番組の開始時刻に到達したか否かをプログラム処理によりこのタイマーの時刻を監視するようにする。
【００４９】
図５に示すチューナ２１０は、ＣＰＵ５の制御に基づいてチューナ２１０が選択した放送番組の放送信号を受信する機能を備えている。チューナ２１０が選択した放送信号は、コンテンツ受信処理部２２０に送られて放送信号の復調処理が行なわれ、さらに、ＡＶデータ（ＡＶ信号）と番組情報などの付加情報（管理情報）を分離して取り出す処理が行なわれる。画像記憶メモリ２６は、コンテンツ受信処理部２２０が分離したＡＶデータを一時記憶するためのメモリとして使用する。光ディスク用Ｉ／Ｆ２４は、画像記憶メモリ２６に記憶したＡＶデータをＭＰＥＧ２形式にデータ圧縮を行うための回路、及びＭＰＥＧ２形式に圧縮されたＡＶデータを元のＡＶデータに復号化するための回路を備えている。また、コンテンツ再生処理部２５は、この復号化処理を行ったＡＶデータを表示装置１４に再生して表示するためのＩ／Ｆ回路を備えている。
【００５０】
続いて、記録再生装置２００の動作を制御するためのプログラムの構成を図６に基づいて説明する。この制御プログラムは、前記したように光ディスク記録媒体１ａの３層目の記録層（Ｌ２）であってプログラムを予め記憶しておくための読取り専用型の記録層に記憶しておく。
【００５１】
記録再生装置２００の動作を制御するためのプログラムは、図６に示すように、例えば、図２に示すプログラムであるＯＳ（Ｐ１）〜各種のアプリケーションプログラム（Ｐ５）と、さらに、リモコン信号解析プログラム（Ｐ６）、録画予約プログラム（Ｐ７）、録画プログラム（Ｐ８）、コンテンツ再生プログラム（Ｐ９）、等から構成される。なお、図６に示すＯＳ（Ｐ１）は、パーソナルコンピュータ用のＯＳである必要はなく、記録再生装置２００用に開発した専用のＯＳであってもよい。
【００５２】
図６に示すリモコン信号解析プログラム（Ｐ６）は、ユーザが操作するリモコンからの操作信号がリモコン用入出力回路を経由して上位ＣＰＵシステム３ａに入力されると、その操作信号を解析し、解析した信号に対応する処理を実行するプログラムにその制御を移行させるためのプログラムである。なお、このリモコンの操作信号としては、従来から採用されているリモコンの操作に伴って発生する「録画予約」、「録画開始」、「録画停止」、「再生開始」、・・・、等に関する信号である。
【００５３】
録画予約プログラム（Ｐ７）は、ユーザがリモコンを操作して放送番組の録画の予約を行うときに、予約の操作を表示装置１４と対話方式により支援し、録画予約したデータをＲＡＭ７に設定した録画予約テーブルに記憶する処理を行うプログラムである。なお、この録画予約したデータは、例えば、録画予約した放送番組のチャンネル、番組タイトル名、録画開始時刻、等である。また、この録画予約プログラム（Ｐ７）による録画予約の操作は、チューナ２１０が受信した放送信号のなかに所定の時間間隔で含まれているＳＩ（Service Information；番組配列情報）を利用して表示装置１４に番組一覧を表示し、ユーザにこの番組一覧から対話方式で選択させる手段を採用してもよい。
【００５４】
録画プログラム（Ｐ８）は、上記したようにユーザが録画予約してＲＡＭ７に記憶された録画予約データに基づいて、あるいはユーザのリモコン操作に基づいて、チューナ２１０により受信した放送番組のＡＶデータを光ディスクドライブ４ａに対して録画する指示を行うためのプログラムである。なお、この放送番組のＡＶデータは、前記したように、光ディスク記録媒体１ａの書換え可能型の記憶層であってＡＶデータを記憶するための１層目の記録層（Ｌ０）に記憶される。
【００５５】
また、コンテンツ再生プログラム（Ｐ９）は、光ディスクドライブ４ａに挿入されている光ディスク記録媒体１ａの1層目の記憶層（Ｌ０）に記録されているＡＶデータの読み取り指示を行って、光ディスクドライブ４ａから送信されたＡＶデータを表示装置１４に再生して表示するための制御を行うためのプログラムである。
【００５６】
なお、記録再生装置２００において、光ディスク記録媒体１ａの３層目の記録層に記録されている上記リモコン信号解析プログラム（Ｐ６）〜コンテンツ再生プログラム（Ｐ９）を作動させる方法は、次の方法（１）又は（２）を採用することができる。
【００５７】
（方法１）
前記したように、上位ＣＰＵシステム３ａのＲＯＭ６にはＩＰＬ（Initial Program loader）を記憶しているので、光ディスクドライブ４ａに光ディスク記録媒体１ａを挿入して記録再生装置２００の電源をＯＮすると、光ディスク記録媒体１ａの３層目の記録層（Ｌ２）に記憶されているＯＳ（Ｐ１）がＲＡＭ７に読込まれて、記録再生装置２００を起動させるためのＯＳ（Ｐ１）を立ち上げることができる。このとき、さらにＩＰＬは光ディスク記録媒体１ａの３層目の記憶層（Ｌ２）に記憶されているファイルシステム（Ｐ２）〜コンテンツ再生プログラム（Ｐ９）をＲＡＭ７に読込む（ロードする）処理を行うようにする。そして、ユーザのリモコン操作に基づく割込み信号が上位ＣＰＵシステム３ａに入力されると、リモコン信号解析プログラム（Ｐ６）が起動する。これにより、リモコン信号解析プログラム（Ｐ６）は、ユーザのリモコン操作に基づく割込み信号に対応した処理を行うプログラムを実行させるように制御する。
【００５８】
（方法２）
上記した（方法１）では、光ディスクドライブ４ａに光ディスク記録媒体１ａが挿入されるごとに、図６に示すＯＳ（Ｐ１）〜コンテンツ再生処理プログラム（Ｐ９）がＲＡＭ７に読込まれるので、読込み処理に若干の待ち時間を要するようになる。この毎回の読込み処理に伴う待ち時間を無くするために、上位ＣＰＵシステム３ａにＲＡＭ７の他に、記憶手段として高速のアクセスが可能なフラッシュメモリ等の不揮発性メモリを設ける。そして、光ディスクドライブ４ａに光ディスク記録媒体１ａが挿入された初回のみ、ＩＰＬにより、光ディスク記録媒体１ａの３層目の記憶層（Ｌ２）に記録されているＯＳ（Ｐ１）〜コンテンツ再生処理プログラム（Ｐ９）をこの不揮発性メモリにもロードする。そして、不揮発性メモリに、これらのプログラムがロードされると、ＲＡＭ７又は不揮発性メモリに設定したロード済みフラグに、例えば「１」を記憶する。これにより、光ディスクドライブ４ａに光ディスク記録媒体１ａが挿入された２回目以降においては、ＩＰＬはこのロード済みフラグの記憶内容を判定して「１」が記憶されていると、光ディスク記録媒体１ａに記憶されているＯＳ（Ｐ１）〜コンテンツ再生処理プログラム（Ｐ９）をＲＡＭ７にロードする処理が不要になる。そして、次回、光ディスクドライブ４ａに光ディスク記録媒体１ａが挿入されると、ＩＰＬは不揮発性メモリに記憶されているＯＳ（Ｐ１）等をＲＡＭ７に読込んで起動させるように制御する。
【００５９】
続いて、ユーザのリモコン操作により、記録再生装置２００のチューナ２１０が受信した放送番組を光ディスクドライブ４の光ディスク記録媒体１ａに録画するときに、記録再生装置２００が実行する制御の処理手順について説明する。
まず、光ディスクドライブ４に光ディスク記録媒体１ａを挿入して、記録再生装置２００の電源をＯＮしたときの記録再生装置２００の立ち上げ時の制御の流れを、図７に示すステップ順に説明する。
【００６０】
（ステップＳ１）
記録再生装置２００の電源をＯＮ、又はリセットボタンを押圧するとその割込み信号が記録再生装置２００に入力されてＲＯＭ６に記憶されているＩＰＬ（Initial Program loader）が起動する。
【００６１】
（ステップＳ２）
ＩＰＬが起動すると、前記したようにＩＰＬは光ディスクドライブ４ａをアクセスして、光ディスク記録媒体１ａの３層目の記録層（Ｌ２）に記憶されているＯＳ（Ｐ１）、ファイルシステム（Ｐ２）、ユーザ認証プログラムＰ３、光ディスクドライブ制御プログラムＰ４、リモコン信号解析プログラムＰ６、録画予約プログラムＰ７、録画プログラムＰ８、コンテンツ再生プログラムＰ９と、光ディスク記録媒体１ａの２層目の記録層（Ｌ１）に記憶されているユーザの認証情報をＲＡＭ７にロードする処理を行う。
【００６２】
（ステップＳ３）
続いて、ＩＰＬはＲＡＭ７にロードにロードされたユーザ認証プログラムＰ３を起動させて、光ディスク記録媒体１ａを使用するユーザの認証処理を実行する。
【００６３】
（ステップＳ４）
ユーザ認証プログラムＰ３は、前記したように表示装置１４にユーザの認証情報を入力するための画面を表示して、ユーザがキーボード９から入力した認証情報を取得する処理を行う。
【００６４】
（ステップＳ５）
ステップＳ４によりユーザが入力した認証情報が、ステップＳ２によりロードした認証情報と一致するか否かを判定する処理を行う。この判定処理の結果、双方の認証情報が一致した場合にはステップＳ６に進む。一方、認証情報が不一致の場合には、エラー表示等を行なって記録再生装置２００の電源ＯＮ時の処理を終了させる。
【００６５】
（ステップＳ６）
光ディスク記録媒体１ａについて正当なユーザが操作していると判定されたので、ユーザ認証プログラムＰ３は、ＲＡＭ７にロードされたＯＳ（Ｐ１）を起動させる処理を行う。ＯＳ（Ｐ１）が起動すると、記録再生装置２００は稼動できる状態にセットされることになる。
【００６６】
続いて、ユーザのリモコン操作により、ＢＳデジタル放送などの放送番組をチューナ２１０で受信し、この受信したコンテンツを光ディスクドライブ４ａの光ディスク記録媒体１ａに録画するときに、記録再生装置２００が実行する録画の制御手順について説明する。図８は、記録再生装置２００のチューナ２１０が受信した放送番組を、光ディスク記録媒体１ａに録画するときの制御手順を示すフローチャートである。以下、図８に示すステップ順に説明する。
【００６７】
なお、放送番組を録画する場合、ユーザは予めリモコンを操作して録画したい放送番組の録画予約を行っておく。これにより、録画予約プログラムＰ７はその録画予約のデータをＲＡＭ７に記憶する処理を行う。また、録画予約しないで、ユーザはリモコンの操作により現在放送中の放送番組を直ちに録画することもできるようにする。以下の説明においては、録画予約した放送番組を光ディスク記録媒体１ａに録画する場合を例にして説明する。
【００６８】
（ステップＳ１１）
上位ＣＰＵシステム３ａのＲＡＭ７に記憶されている録画プログラムＰ８は、ＲＡＭ７に録画予約のデータが記憶されているか否かを所定の時間間隔でチェックする処理を行う。そして、録画予約のデータが記憶されているとタイマーの現在時刻を参照して、現在の時刻が録画予約されている番組の放送開始年月日・時・分に達しているか否かを判定する処理を行う。この判定処理の結果、現在の時刻が録画開始時刻に達したと判定されると、次のステップＳ１２に進む。
【００６９】
（ステップＳ１２）
現在の時刻が録画の開始時刻に達したと判定されたので、録画プログラムＰ８は、録画予約したチャンネルの放送番組が受信できるようにチューナ２１０を制御するとともに、光ディスクドライブ４ａを起動するための制御コマンド（起動コマンド）を光ディスクドライブ４ａに送信する。光ディスクドライブ４ａのＲＯＭ１９に記憶されているメイン制御プログラムＰ１１は、上位ＣＰＵシステム３ａからこの起動コマンドを受信すると光ディスクドライブ４ａは録画できる状態になっているか否かを判定し、その判定結果を上位ＣＰＵシステム３ａに返信する。
そして、上位ＣＰＵシステム３ａの録画プログラムＰ８は、光ディスクドライブ４ａから「録画できる状態になっている」旨を示す制御コマンドを受信するとステップＳ１３に進む。なお、上位ＣＰＵシステム３ａの録画プログラムＰ８は、録画できる状態になっていない」旨を示す制御コマンドを受信すると、エラーランプ（例えばＬＥＤ）等を点灯する処理を行う。
【００７０】
（ステップＳ１３）
録画プログラムＰ８は、タイマーの時刻を読み取って、現在の時刻は録画予約した放送番組の放送終了時刻に達しているか否かの判定処理を行う。この判定処理の結果、放送終了時刻に達していない場合には次のステップＳ１４に進み、放送終了時刻に達した場合にはステップＳ１８に進む。
【００７１】
（ステップＳ１４）
録画プログラムＰ８は、録画予約された番組（コンテンツ）の受信処理と録画処理を行うための制御を実行する。この受信処理としては、例えば次の処理（１）、（２）を行う。
【００７２】
（１）チューナ２１０により受信された放送信号をコンテンツ受信処理部２２０で復号化処理を行なってＡＶデータと番組情報などの管理情報とに係る情報に分離する。そして、放送信号から分離したＡＶデータは順次、映像記憶メモリ２３に一時記憶する処理を行う。
【００７３】
（２）一方、分離した管理情報は、ＲＡＭ７に記憶する処理を行う。なお、録画する放送番組の放送信号に付加されている管理情報としては、放送信号の中に前記したＳＩ（番組配列情報）が所定の時間間隔で送信されている。これにより、録画プログラムＰ８は、録画予約した放送信号を受信すると、短時間のうちにこのＳＩ情報を取り出して、録画する番組のタイトル名、等をＲＡＭ７に記憶することができる。そして、録画プログラムＰ８は、管理情報としてこの番組のタイトル名の他に、録画年月日、光ディスク記録媒体１ａに録画する放送番組のＡＶデータに設定されたファイル名、同じく録画する放送番組に係る管理情報に対して設定したファイル名等もＲＡＭ７に記憶する処理を行う。なお、上記したファイル名の設定は、録画プログラムＰ８がファイルシステム（Ｐ２）を作動させて、例えば、当日の年月日時分を含むファイル名を自動設定することができる。なお、この番組（管理）情報は、光ディスク記録媒体１ａの２層目の記録層（Ｌ１）に設定されたＡＶデータの管理情報記憶領域に管理情報として記録される情報になる。
【００７４】
（ステップＳ１５）
予めＲＡＭ７に設定した管理情報送信済フラグの記憶内容が、例えば、「０」であるか否かを判定する。この判定結果、「０」が記憶されていると次のステップＳ１６に進み、「１」が記憶されているとステップＳ１７に進む。なお、管理情報送信済フラグとは、上記ステップＳ１４の処理でＲＡＭ７に記憶した情報であって、上記した番組情報を含む管理情報を、光ディスクドライブ４ａに送信済であるか否かを示す情報である。例えば、管理情報を送信していない場合には管理情報送信済フラグには「０」が記憶され、送信済の場合には「１」を記憶する処理を行う。なお、ステップＳ１５において、上記のように管理情報送信済フラグの記憶内容を判定する理由は、光ディスクドライブ４ａには番組情報を1回送信すればよいからである。
【００７５】
（ステップＳ１６）
録画プログラムＰ８は、管理情報を送信することを示す制御コマンドを光ディスクドライブ４ａに送信した後、ステップＳ１４の処理によりＲＡＭ７に記憶した管理情報を、光ディスクドライブ４ａに送信する処理を行う。そして、この送信処理が終了すると管理情報送信済フラグに「１」を記憶する。
【００７６】
光ディスクドライブ４ａのメイン制御プログラムＰ１１は、上位ＣＰＵシステム３ａから上記した管理情報を受信すると、管理情報一時記憶プログラムＰ１６を作動させて、受信した管理情報を不揮発性メモリ２３に記憶する処理を行う。
【００７７】
（ステップＳ１７）
録画プログラムＰ８は、ＡＶデータの送信を示す制御コマンドを光ディスクドライブ４ａに送信する。そして、録画プログラムＰ８はこの制御コマンドの応答コマンドを受信すると、画像記憶メモリ２６に一時記憶したＡＶデータを順次先入れ先出し方式で取り出して、光ディスク用Ｉ／Ｆ部２４を介して光ディスクドライブ４ａに送信する処理を行う。なお、この処理において、光ディスク用Ｉ／Ｆ部２４は、ＡＶデータをＭＰＥＧ２によるデータ圧縮の処理も行う。そして、画像記憶メモリ２６に一時記憶したＡＶデータの所定のデータ量を光ディスクドライブ４ａに送信すると、ステップＳ１３に戻る。このようにして録画プログラムＰ８は、ステップＳ１３〜Ｓ１７の処理を繰り返すことにより、チューナ２１０で受信した放送番組のＡＶデータを、順次、リアルタイムで光ディスクドライブ４ａに送信する処理を行う。
【００７８】
一方、光ディスクドライブ４ａのメイン制御プログラムＰ１１は、上位ＣＰＵシステム３ａから上記ステップＳ１７に基づいてＡＶデータを受信すると、ＡＶデータ書込みプログラムＰ１５を作動させて、受信したＡＶデータを光ディスク記録媒体１ａの１層目の記録層（Ｌ０）に記録する（書込む）処理を行う。この処理を行うとき、ＡＶデータ書込みプログラムＰ１５は、不揮発性メモリ２３に記憶されている管理情報を参照してＡＶデータを記憶する光ディスク記録媒体１ａの１層目の記録層（Ｌ０）であって、受信したＡＶデータを記憶するためのファイル名の先頭のトラック番号を判定し、このトラック番号から順次受信したＡＶデータをリアルタイムに書込む処理を実行する。このようにして、ＡＶデータ書込みプログラムＰ１５は、上位ＣＰＵシステム３ａから送信されるＡＶデータを受信しながら、受信したＡＶデータをリアルタイムに光ディスク記録媒体１ａの１層目の記録層（Ｌ０）に記録する処理を行う。
【００７９】
上記したように、上位ＣＰＵシステム３ａはデジタル放送等の放送番組（コンテンツ）を受信しながら、受信したコンテンツに含まれるＡＶデータを順次圧縮処理を施して光ディスクドライブ４ａに送信する処理を行うことにより、光ディスクドライブ４ａは、受信したＡＶデータをリアルタイムに光ディスク記録媒体１ａに記録する処理を行うことが可能になる。
このとき、光ディスクドライブ４ａは、受信した所定のデータ長のＡＶデータのストリームを光ディスク記録媒体１ａに記録する処理を行うときに若干のシーク時間を必要とするので、このシーク時間を利用してＡＶデータを光ディスク記録媒体１ａに記録したＧＯＰに関する情報等を順次、管理情報一時記憶プログラムＰ１６により不揮発性メモリ２３に記憶する処理を行う。
【００８０】
（ステップＳ１８）
上記ステップＳ１３により、録画している放送番組が終了したと判定されたので、光ディスクドライブ４ａが不揮発性メモリ２３に記憶した管理情報を、光ディスク記録媒体１ａの２層目の記録層（Ｌ１）に設定している管理情報記憶領域に記憶する処理を行うための制御コマンド（録画終了コマンド）を、光ディスクドライブ４ａに送信する。このステップＳ１８の処理が終了すると、録画プログラムＰ８の処理は終了する。
【００８１】
光ディスクドライブ４ａは、上記ステップＳ１８により上位ＣＰＵシステム３ａから録画終了の制御コマンドを受信すると、不揮発性メモリ２３に記憶した管理情報を光ディスク記録媒体１ａの２層目の記録層（Ｌ１）の管理情報記憶領域に記憶する処理を行う。この処理において、管理情報処理プログラムＰ１２は、不揮発性メモリ２３に記憶した管理情報から、例えば、録画したＡＶデータに設定されたファイル名と関連付けされたこの放送番組のタイトル名、録画年月日、光ディスク記録媒体１ａに録画した先頭の記憶領域に関する情報等を選択して、このＡＶデータに関する管理情報を作成する処理を行う。続いて、管理情報書込みプログラムＰ１７により、このＡＶデータに関する管理情報を光ディスク記録媒体１ａの２層目の記録層（Ｌ１）の管理情報記憶領域に記憶する処理を行う。
【００８２】
上記したように、本発明に係るＡＶ機器は、上位ＣＰＵシステム３ａから送信されるＡＶデータはリアルタイム処理で光ディスク記録媒体１ａに記録する処理を行い、このＡＶデータに係る管理情報は一時的に光ディスクドライブ４ａの不揮発性メモリ２３に記憶する。そして、ＡＶデータの光ディスク記録媒体１ａへの記録処理が終了したときに、この不揮発性メモリ２３に記憶した管理情報を、光ディスク記録媒体１ａに記録するようにしている。光ディスク記録媒体はシーク特性が劣っているが、上記した処理を行うことにより、ＡＶデータとこのＡＶデータに係る管理情報を光ディスク記録媒体１ａに確実に記録することができるようになる。
【００８３】
なお、現在の時刻が録画の終了時刻に達していない場合でも、リモコンから録画終了の操作信号が入力されると、上位ＣＰＵシステム３ａの録画プログラムＰ８は、録画強制終了の制御コマンド（SYNCコマンド）を光ディスクドライブ４ａに送信する。光ディスクドライブ４ａのメイン制御プログラムＰ１１は、この録画強制終了を受信すると、不揮発性メモリ２３に記憶している管理情報を光ディスク記録媒体１ａの２層目の記録層（Ｌ１）に設定されている管理情報記憶領域に書き込む処理を行うようにする。
【００８４】
なお、光ディスクドライブ４ａのメイン制御プログラムＰ１１は、上位システム３ａからＡＶデータの書込みの制御コマンド、あるいは通常データの書込みの制御コマンドが送信された場合には、この制御コマンドを解析して光ディスク記録媒体１ａのどの記録層に記録するかを判別して決定する処理を行うようにする。この処理を行うためには、例えば、上位システム３ａの光ディスクドライブ制御プログラム（Ｐ４）は、制御コマンドに光ディスク記録媒体１ａの記録層に関する情報を含めて光ディスクドライブ４ａに送信するようにする。
【００８５】
以上に説明した本発明に係るＡＶ機器については、ＡＶ機器の上位ＣＰＵシステムに光ディスクドライブを接続し、この光ディスクドライブにより光ディスク記録媒体１ａに予め記憶されているＯＳを含むプログラムを読込んで作動させるパーソナルコンピュータ、及びコンテンツの記録再生装置を例にして説明した。さらに、本発明に係るＡＶ機器は、光ディスク記録媒体１ａ用のドライブを備え、デジタルテレビジョン放送を受信できるとともに受信したテレビジョン放送の録画と再生の機能を備えたテレビ受信機、あるいはこのテレビ受信機にパーソナルコンピュータの機能を備えたＡＶ機器として実用化することも可能である。
【図面の簡単な説明】
【００８６】
【図１】本発明に係る光ディスク記録媒体について、その記録層の構成例を説明するための図である。
【図２】図１に示す光ディスク記録媒体を構成する各記録層について、その記録層の属性例と、予め記憶されているプログラム例とを説明するための図である。
【図３】本発明に係る光ディスク記録媒体のリードライトを行う光ディスクドライブを備えたＡＶ機器について、その実施形態の構成を説明するための図である。
【図４】図３に示す光ディスクドライブが備えている制御プログラムについて、その構成例を説明するための図である。
【図５】本発明に係る光ディスク記録媒体のリードライトを行う光ディスクドライブを備えたＡＶ機器について、他の実施形態の構成を説明するための図である。
【図６】図５に示すＡＶ機器が備えている光ディスクドライブでリードライトするための光ディスク記録媒体について、その記録層の属性例と、予め記憶されているプログラム例とを説明するための図である。
【図７】図５に示すＡＶ機器を起動させたときに、その起動処理の手順の一例を説明するためのフローチャートである。
【図８】図５に示すＡＶ機器により、コンテンツに係る情報を光ディスクドライブの光ディスク記録媒体に記録する処理を行うときに、ＡＶ機器が備えている制御プログラムが実行する制御手順を説明するためのフローチャートである。
【符号の説明】
【００８７】
１、１ａ：光ディスク記録媒体
２  ：ＡＶ機器（パーソナルコンピュータ）
３、３ａ：上位ＣＰＵシステム
４、４ａ：光ディスクドライブ
５  ；ＣＰＵ
６  ：ＲＯＭ
７  ：ＲＡＭ
１８  ：ＣＰＵ
１９  ：ＲＯＭ
２０  ：ＲＡＭ
２１  ：通信Ｉ／Ｆ
２２  ：光ピックアップ制御部
２３  ：不揮発性メモリ
２００：記録再生装置
２１０：チューナ
２２０：コンテンツ受信処理部
Ｐ１  ：ＯＳ
Ｐ２  ：ファイルシステム
Ｐ３  ：ユーザ認証プログラム
Ｐ４  ：光ディスクドライブ制御プログラム
Ｐ５  ：アプリケーションプログラム
Ｐ６  ：リモコン信号解析プログラム
Ｐ７  ：録画予約プログラム
Ｐ８  ：録画プログラム
Ｐ９  ：コンテンツ再生プログラム
Ｐ１１：メイン制御プログラム
Ｐ１２：管理情報処理プログラム
Ｐ１３：ソフトウエア送信プログラム
Ｐ１４：通常データ送信プログラム
Ｐ１５：ＡＶデータ書込みプログラム
Ｐ１６：管理情報一時記憶プログラム
Ｐ１７：管理情報書込みプログラム
Ｐ１８：ＡＶデータ送信プログラム
Ｐ１９：通常データ書込み
【図１】
2009193633.tif 000003
【図２】
2009193633.tif 000004
【図３】
2009193633.tif 000005
【図４】
2009193633.tif 000006
【図５】
2009193633.tif 000007
【図６】
2009193633.tif 000008
【図７】
2009193633.tif 000009
【図８】
2009193633.tif 000010